(57)【要約】【課題】構造簡易で安価な部材で構成でき、接続作業も容易なフェンス用支柱と、その固定金具を提供する。【解決手段】フェンス用支柱１は、基礎パイプ２、支柱パイプ３、両パイプを接続する固定金具４を具備する。基礎パイプ２は、設置面Ｂ上に立設される。支柱パイプ３は、下部が基礎パイプ２の上部に外挿され、固定金具４によって所望の高さ位置に固定される。固定金具４は、クランプ金具５，６と、これらを固定する固定部材７とを具備する。クランプ金具５は、基礎パイプ２を把持し、上面に支柱パイプ３の下端を載せ受ける。クランプ金具６は、クランプ金具５の上方で、支柱パイプ３を把持する。固定部材７は、クランプ金具５，６が固着される接続板７１と、それから延出する仮載せフック７２及び金網支持片７３と、金網支持片７３に支持されるフックボルト７４とを具備する。【選択図】図１
2014163200.tif 000002
【特許請求の範囲】
【請求項１】
垂直の取り付け側面に沿うように金網パネルを支持するフェンス用の支柱であって、
設置面上に立設される基礎パイプと、この基礎パイプの上部に下部が外挿されて基礎パイプに接続される支柱パイプと、前記基礎パイプ上の所望の高さ位置に前記支柱パイプを固定する固定金具とを具備し、
前記固定金具は、前記基礎パイプを所望の高さ位置で把持し上面に前記支柱パイプの下端を載せ受ける第１のクランプ金具と、この第１のクランプ金具の上方で前記支柱パイプを把持する第２のクランプ金具と、前記第１のクランプ金具と第２のクランプ金具が上下に間隔を置いて固着される固定部材とを具備し、
前記固定部材は、下部に前記第１のクランプ金具が固着され上部に前記第２のクランプ金具が固着される接続板と、この接続板から延出する仮載せフック及び金網支持片と、この金網支持片に支持されるフックボルトとを具備し、
前記仮載せフックは、金網パネルの下端部を載せ受けるように、前記接続板の下部から前記基礎パイプ及び支柱パイプの取り付け側面より外側へ前記金網パネルのパネル面に直角に、前記接続板から延出し、
前記金網支持片は、前記フックボルトを挿通させるボルト孔を有し、前記仮載せフックの上方に位置して、前記金網パネルと平行に、前記接続板から延出し、
前記フックボルトは、フックを有する一端側が前記金網支持片から直角方向に延出して当該フックが金網パネルの横格子に掛けられ、他端側のねじ部に螺合されるナットによって、金網パネルと共に金網支持片に引き留められることを特徴とするフェンス用支柱。
【請求項２】
前記基礎パイプ上の所望の高さ位置に前記支柱パイプを固定する請求項1に記載のフェンス用支柱の固定金具。
【発明の詳細な説明】
【技術分野】
【０００１】
本発明は、垂直の側面に沿って金網パネルを吊り止めるフェンス用の支柱と、この支柱の固定金具に関する。
【背景技術】
【０００２】
従来、フェンス用支柱の支持構造として、例えば、特許文献1に記載されたものが知られている。この支持構造においては、地面に打ち込まれた鋼管基礎と、この鋼管基礎の上端に取付けられた支柱とを有する。鋼管基礎の上端には、連結プレートが溶接などで固定され、支柱の下端にも連結プレートが溶接などで固定される。鋼管基礎上端の連結プレート上に支柱下端の連結プレートが載置され、ボルト締めして固定される。
【先行技術文献】
【特許文献】
【０００３】
【特許文献１】特開２０１２−４７００６号公報
【発明の概要】
【発明が解決しようとする課題】
【０００４】
特許文献１に記載のフェンス用支柱の支持構造においては、地面に固定される鋼管基礎とその上端に取付けられる支柱とに、互いに接続するための連結プレートを予め設ける必要があり、両柱材共に特殊形状のものであるため、比較的高価なものとならざるを得ず、また、接続作業も容易ではないという課題がある。
したがって、本発明は、構造簡易で安価な部材で構成でき、接続作業も容易なフェンス用支柱と、その固定金具を提供することを目的としている。
【課題を解決するための手段】
【０００５】
以下、添付図面の符号を参照して説明するが、本発明はこれに限定されるものではない。
上記課題を解決するための、本発明のフェンス用支柱１は、基礎パイプ２と、支柱パイプ３と、両パイプを接続する固定金具４とを具備し、垂直の取り付け側面に沿うように金網パネルＰを支持する。基礎パイプ２は、設置面Ｂ上に立設される。支柱パイプ３は、基礎パイプ２の上部に下部が外挿されて、基礎パイプ２上に接続される。固定金具４は、基礎パイプ２上の所望の高さ位置に支柱パイプ３を固定する。固定金具４は、第１及び第２のクランプ金具５，６と、これらを固定する固定部材７とを具備する。第１のクランプ金具５は、基礎パイプ２を所望の高さ位置で把持し、上面に支柱パイプ３の下端を載せ受ける。第２のクランプ金具６は、第１のクランプ金具５の上方で、支柱パイプ３を把持する。第１及び第２のクランプ金具５，６は、固定部材７に、上下に相互間隔を置いて固着される。固定部材７は、第１及び第２のクランプ金具５，６が固着される接続板７１と、この接続板７１から延出する仮載せフック７２及び金網支持片７３と、この金網支持片７３に支持されるフックボルト７４とを具備する。仮載せフック７２は、接続板７１の下部から基礎パイプ２及び支柱パイプ３の取り付け側面より外側へ金網パネルＰのパネル面に直角に、接続板７１から延出し、金網パネルＰの下端部を載せ受ける。金網支持片７３は、フックボルト７４を挿通させるボルト孔７３ａを有し、仮載せフック７２の上方に位置して、金網パネルＰと平行に、接続板７１から延出する。フックボルト７４は、一端側にフック７４ａを有し、他端側にねじ部７４ｂを有する。フックボルト７４は、金網支持片７３から直角方向に延出する一端側のフック７３ａが金網パネルＰの横格子Ｐ１に掛けられ、他端側のねじ部７４ｂにナット７４ｃが螺合され、このナット７４ｃによって、金網パネルＰと共に金網支持片７３に引き留められる。
【発明の効果】
【０００６】
本発明のフェンス用支柱１は、それを構成する基礎パイプ２と支柱パイプ２が、構造の簡易な管材からなるため、安価に得られ、固定金具４によって、高さを調整しつつ容易に固定できる。固定金具４の仮載せフック７２と金網支持片７３とによって、金網パネルＰの固定作業も容易に行える。
【図面の簡単な説明】
【０００７】
【図１】本発明に係るフェンス用支柱の正面図である。
【図２】図１のフェンス用支柱の平面図である。
【図３】図１のフェンス用支柱の側面図である。
【図４】本発明に係るフェンス用支柱の設置状態の正面図である。
【発明を実施するための形態】
【０００８】
図面を参照して本発明の実施の形態を説明する。
フェンス用支柱１は、基礎パイプ２と、支柱パイプ３と、両パイプを接続する固定金具４とを具備する。フェンス用支柱１は、垂直の取り付け側面に沿うように、金網パネルＰを支持する。
【０００９】
基礎パイプ２は、設置面上に垂直に立設される。支柱パイプ３は、上下方向に所定の相互間隔で形成された複数のボルト孔３ａを有し、下部が基礎パイプ２の上部に外挿されて接続される。
【００１０】
固定金具４は、基礎パイプ２上の所望の高さ位置に、支柱パイプ３を固定するもので、第１及び第２のクランプ金具５，６と、固定部材７とを具備する。
【００１１】
第１のクランプ金具５は、基礎パイプ２を所望の高さ位置で把持し、上面に支柱パイプ３の下端を載せ受ける。
【００１２】
第２のクランプ金具６は、第１のクランプ金具５の上方で、支柱パイプ３を把持する。第１及び第２のクランプ金具５，６は、固定部材７に、上下に相互間隔を置いて固着される。
【００１３】
固定部材７は、第１及び第２のクランプ金具５，６が固着される接続板７１と、この接続板７１から延出する仮載せフック７２及び金網支持片７３と、この金網支持片７３に支持されるフックボルト７４とを具備する。
【００１４】
仮載せフック７２は、接続板７１の下部から延出し、基礎パイプ２及び支柱パイプ３の取り付け側面より外側へ金網パネルＰのパネル面に直角になるように張り出す。仮載せフック７２は、金網パネルＰの設置工程において、その下端部を仮に載せ受ける。
【００１５】
金網支持片７３は、フックボルト７４を挿通させるボルト孔７３ａを有し、仮載せフック７２の上方に位置して、金網パネルＰのパネル面と平行になるように、接続板７１から延出する。
【００１６】
フックボルト７４は、一端側にフック７４ａを有し、他端側にねじ部７４ｂを有する。フックボルト７４は、金網支持片７３から直角方向に延出する一端側のフック７４ａが、金網パネルＰの横格子Ｐ１に掛けられ、他端側のねじ部７４ｂにナット７４ｃが螺合され、このナット７４ｃによって、金網パネルＰと共に金網支持片７３に引き留められる。
【００１７】
フェンス用支柱１を立設する場合には、例えば下部を地中に打ち込んで垂直に固定された基礎パイプ２の所定の高さ位置を下方のクランプ金具５で把持することにより、固定金具４を基礎パイプ２上に固着する。次いで、基礎パイプ２上に、支柱パイプ３の下端部を外挿し、その下端面をクランプ金具５の上面に支持させ、上方のクランプ金具６で、支柱パイプ３の外周を把持することにより、支柱パイプ３を基礎パイプ２上の所定の高さ位置に固定する。地盤面の高さに応じて、下方のクランプ金具５で基礎パイプ２を把持する位置を調整することで、隣接する支柱パイプ３の高さを合わせる。
【００１８】
このようにして複数立設された支柱１の側面に金網パネルＰを支持する。金網パネルＰの取り付けに当たっては、例えば、それの下端を隣り合う２つの支柱１の固定金具４の仮載せフック７２上に支持した上で、支柱１毎に取り付け高さ位置を調整しつつ、所定の横格子Ｐ１にフックボルト７４のフック７４ａを掛け、ナット７４ｃで引き留める。金網パネルＰの上部は、支柱パイプ３のボルト孔３ａに挿通されたフックボルト８により支柱１に引き留められる。
【符号の説明】
【００１９】
１    フェンス用支柱
２    基礎パイプ
３    支柱パイプ
４    固定金具
５    第１のクランプ金具
６    第２のクランプ金具
７    固定部材
７１  接続板
７２  仮載せフック
７３  金網支持片
７３ａ  ボルト孔
７４  フックボルト
７４ａ  フック
７４ｂ  ねじ部
７４ｃ  ナット
Ｐ    金網パネル
Ｐ１  横格子
【図１】
2014163200.tif 000003
【図２】
2014163200.tif 000004
【図３】
2014163200.tif 000005
【図４】
2014163200.tif 000006
【手続補正書】
【提出日】平成25年12月27日(2013.12.27)
【手続補正１】
【補正対象書類名】特許請求の範囲
【補正対象項目名】全文
【補正方法】変更
【補正の内容】
【特許請求の範囲】
【請求項１】
垂直の取り付け側面に沿うように金網パネルを支持するフェンス用の支柱であって、
設置面上に立設される基礎パイプと、この基礎パイプの上部に下部が外挿されて基礎パイプに接続される支柱パイプと、前記基礎パイプ上の所望の高さ位置に前記支柱パイプを固定する固定金具とを具備し、
前記固定金具は、前記基礎パイプを所望の高さ位置で把持し上面に前記支柱パイプの下端を載せ受ける第１のクランプ金具と、この第１のクランプ金具の上方で前記支柱パイプを把持する第２のクランプ金具と、前記第１のクランプ金具と第２のクランプ金具が上下に間隔を置いて固着される固定部材とを具備し、
前記固定部材に、フックボルトを介して前記金網パネルが支持されることを特徴とするフェンス用支柱。
【請求項２】
設置面上に立設される基礎パイプと、この基礎パイプの上部に下部が外挿されて基礎パイプに接続される支柱パイプとを具備するフェンス用の支柱において、
前記基礎パイプ上の所望の高さ位置に前記支柱パイプを固定する固定金具であって、
前記基礎パイプを所望の高さ位置で把持し上面に前記支柱パイプの下端を載せ受ける第１のクランプ金具と、この第１のクランプ金具の上方で前記支柱パイプを把持する第２のクランプ金具と、前記第１のクランプ金具と第２のクランプ金具が上下に間隔を置いて固着される固定部材とを具備し、
前記固定部材は、フックボルトを介して前記金網パネルを支持することを特徴とするフェンス用支柱の固定金具。
【手続補正２】
【補正対象書類名】明細書
【補正対象項目名】０００５
【補正方法】変更
【補正の内容】
【０００５】
以下、添付図面の符号を参照して説明するが、本発明はこれに限定されるものではない。
上記課題を解決するための、本発明のフェンス用支柱１は、基礎パイプ２と、支柱パイプ３と、両パイプを接続する固定金具４とを具備し、垂直の取り付け側面に沿うように金網パネルＰを支持する。基礎パイプ２は、設置面Ｂ上に立設される。支柱パイプ３は、基礎パイプ２の上部に下部が外挿されて、基礎パイプ２上に接続される。固定金具４は、基礎パイプ２上の所望の高さ位置に支柱パイプ３を固定する。固定金具４は、第１及び第２のクランプ金具５，６と、これらを固定する固定部材７とを具備する。第１のクランプ金具５は、基礎パイプ２を所望の高さ位置で把持し、上面に支柱パイプ３の下端を載せ受ける。第２のクランプ金具６は、第１のクランプ金具５の上方で、支柱パイプ３を把持する。第１及び第２のクランプ金具５，６は、固定部材７に、上下に相互間隔を置いて固着される。固定部材７は、フックボルト７４を介して金網パネルＰを支持する。
【手続補正３】
【補正対象書類名】明細書
【補正対象項目名】０００６
【補正方法】変更
【補正の内容】
【０００６】
本発明のフェンス用支柱１は、それを構成する基礎パイプ２と支柱パイプ３が、構造の簡易な管材からなるため、安価に得られ、固定金具４によって、パイプ２，３を、高さを調整しつつ容易に固定できる。固定金具４の固定部材７に、フックボルト７４により、金網パネルＰを容易に固定できる。
【手続補正４】
【補正対象書類名】明細書
【補正対象項目名】０００９
【補正方法】変更
【補正の内容】
【０００９】
基礎パイプ２は、設置面上に垂直に立設される。支柱パイプ３は、基礎パイプ２より大径で、上下方向に所定の相互間隔で形成された複数のボルト孔を有し、これに金網パネルＰを支持するフックボルトが取り付けられる。支柱パイプ３は、下部が基礎パイプ２の上部に外挿され、固定金具４で基礎パイプ２に接続される。